(57)【要約】【課題】温度を制御することで印画物の表面にコード情報が発現すると共に、第三者によるコード情報の読み取りを防止する。【解決手段】本実施形態に係るコード情報発現システムは、一方の面に所定温度で色相が変化する示温インキが印刷された印画物と、前記印画物に接触させる加熱又は冷却用の接触体と、を備える。前記接触体の印画物接触面にコード情報に対応するパターンが設けられている。接触体を印画物に接触させて加熱又は冷却することで、接触部分の示温インキが変色し、印画物の表面にコード情報が発現する。【選択図】図１
2020044829.tif 000002
【特許請求の範囲】
【請求項１】
一方の面に所定温度で色相が変化する示温インキが印刷された印画物と、
前記印画物に接触させる加熱又は冷却用の接触体と、
を備え、
前記接触体の印画物接触面にコード情報に対応するパターンが設けられていることを特徴とするコード情報発現システム。
【請求項２】
前記接触体は、前記印画物に押圧接触されると、加熱又は冷却を開始することを特徴とする請求項１に記載のコード情報発現システム。
【請求項３】
前記印画物は、基材、及び前記基材上に設けられた複数の凸部を有し、
前記凸部の先端部に前記示温インキが印刷されていることを特徴とする請求項１又は２に記載のコード情報発現システム。
【請求項４】
前記印画物は、基材、及び前記基材上に設けられ、前記基材よりも熱伝導率が低い低熱伝導層を有し、
前記低熱伝導層上にドット状の前記示温インキが印刷されていることを特徴とする請求項１又は２に記載のコード情報発現システム。
【請求項５】
前記パターンは記号を反転したものであることを特徴とする請求項１乃至４のいずれか１項に記載のコード情報発現システム。
【発明の詳細な説明】
【技術分野】
【０００１】
本発明は、コード情報発現システムに関する。
【背景技術】
【０００２】
近年、キャッシュレス化が進み、カード決済を含め、クレジットカードを利用する場面は多岐にわたる。そのため、クレジットカードに対するセキュリティ性付与は必要不可欠な技術とされており、様々なセキュリティ性を付与したカードが登場し、その技術も日々進歩を続けている。
【０００３】
クレジット決済では、カード番号や有効期限の入力に加えて、セキュリティコードの入力が求められることが多い。従来のカードは、これらの情報が券面上に全て印字されているため、紛失時のリスクが高かった。
【０００４】
セキュリティコードをカードに印字する代わりに、磁気テープやＩＣに記録する方法が考えられるが、本人確認のためにコード情報を別途入力する必要があり、多数のカードを使用している場合は、コード情報を忘れて、カードが使用できなくなるという問題があった。カードにセキュリティコードを記載し、かつ常温では視認できなくする方法として、示温インキによる印刷方法が知られている（例えば特許文献１参照）。
【０００５】
しかし、カードに示温インキでセキュリティコードが記載されていることが周知となれば、カードを加温することでセキュリティコードが可視化されるため、第三者が容易にセキュリティコードを読み取ることができてしまう。
【先行技術文献】
【特許文献】
【０００６】
【特許文献１】特開２０１７−１８５６８０号公報
【発明の概要】
【発明が解決しようとする課題】
【０００７】
本発明は、温度を制御することで印画物の表面にコード情報が発現すると共に、第三者によるコード情報の読み取りを防止できるコード情報発現システムを提供することを課題とする。
【課題を解決するための手段】
【０００８】
本発明によるコード情報発現システムは、一方の面に所定温度で色相が変化する示温インキが印刷された印画物と、前記印画物に接触させる加熱又は冷却用の接触体と、を備え、前記接触体の印画物接触面にコード情報に対応するパターンが設けられているものである。
【０００９】
本発明の一態様では前記印画物に押圧接触されると、加熱又は冷却を開始する。
【００１０】
本発明の一態様では、前記印画物は、基材、及び前記基材上に設けられた複数の凸部を有し、前記凸部の先端部に前記示温インキが印刷されている。
【００１１】
本発明の一態様では、前記印画物は、基材、及び前記基材上に設けられ、前記基材よりも熱伝導率が低い低熱伝導層を有し、前記低熱伝導層上にドット状の前記示温インキが印刷されている。
【００１２】
本発明の一態様では、前記パターンは記号を反転したものである。
【発明の効果】
【００１３】
本発明によれば、印画物の表面に加熱又は冷却用の接触体を接触させることで印画物表面にコード情報が発現する。印画物を単に加熱又は冷却するだけではコード情報が発現しないため、第三者によるコード情報の読み取りを防止できる。
【図面の簡単な説明】
【００１４】
【図１】（ａ）は本発明の実施形態に係るカードの斜視図であり、（ｂ）は接触体の斜視図である。
【図２】（ａ）（ｂ）は図１（ｂ）のII-II線断面図である。
【図３】（ａ）〜（ｃ）はコード情報の発現及び消失（非可視化）の例を示す図である。
【図４】（ａ）（ｂ）はカードの拡大断面図である。
【図５】（ａ）（ｂ）はカードの拡大断面図である。
【図６】（ａ）は別の実施形態に係るカードの平面図であり、（ｂ）はコード情報の発現の例を示す図である。
【発明を実施するための形態】
【００１５】
以下、本発明の実施の形態を図面に基づいて説明する。
【００１６】
本発明の実施形態に係るコード情報発現システムは、図１（ａ）に示すカード１と、図１（ｂ）に示すカード加熱又は冷却用の接触体２とを備える。カード１は、例えばクレジットカードであり、一方の面にカード番号、所有者の氏名、カード有効期限等が記載され、他方の面１ａに示温インキが印刷されている。
【００１７】
カード１の基材は、例えば、ポリ塩化ビニル、ポリエステル、ポリカーボネート、ポリアミド、ポリイミド、セルロースジアセテート、セルローストリアセテート、ポリスチレン系樹脂、アクリル樹脂、ポリプロピレン、ポリエチレン等の合成樹脂を母材としたものである。基材にＩＣチップ等が埋め込まれていてもよい。
【００１８】
示温インキは、温度によって色相が変わる物質であり、例えば所定温度以下では無色状態であり、所定温度を超えると有色状態となる。示温インキの特性は材料によって異なり、所定温度以下では有色状態、所定温度を超えると無色状態となるものがある。また、所定温度以下では第１の色、所定温度を超えると第１の色とは異なる第２の色になる示温インキもある。また、一般的に示温インキとしては、所定温度による色味変化が可逆であるインキと不可逆であるインキがあるが、本システムとしては可逆タイプのインキを使用する場合を想定している。
【００１９】
示温インキには、ロイコ染料系インキ、液晶系インキ、無機化合物系インキ等を用いることができる。
【００２０】
ロイコ染料系インキとしては、ロイコ染料、顕減色剤、及び溶媒の混合物を使用しインキ化したものが挙げられる。ロイコ染料としては、例えばクリスタルバイオレットラクトンが挙げられる。
【００２１】
液晶系インキとしては、例えばコレステリック型液晶をマイクロカプセルの殻に閉じ込め、それを顔料として使用しインキ化したものが挙げられる。
【００２２】
無機化合物系インキとしては、例えばＨｇ、Ａｇ、Ｃｕ、Ｐｂ等の重金属のヨウ化物、又はそれらの錯塩を顔料として使用しインキ化したものが挙げられる。
【００２３】
示温インキは、カード１の面１ａの全面に塗布されていてもよいし、一部のみに印刷されていてもよい。示温インキは、少なくとも接触体２の接触面積以上は印刷されている。
【００２４】
接触体２は、コード情報Ｊが刻設された接触面を有するスタンプ状の加熱装置である。図２（ａ）（ｂ）に示すように、接触体２は、筒状本体２０、接触部２１、スライドカバー２２、コイルスプリング２３、ヒータ２４、電源２５、回路基板２６等を備える。筒状本体２０の筒軸方向を上下方向（垂直方向）として説明する。
【００２５】
筒状本体２０は、下端部が開口し、上端に開閉可能な蓋部２０ａが設けられている。蓋部２０ａを開けると、単三乾電池等の電源２５が装脱可能となる。筒状本体２０の内周面には、突起２０ｂが周方向に沿って突設されている。
【００２６】
接触部２１は、下面に筒状本体２０の下端よりも常に下方に突出するようにして刻印部２１ａが設けられ、筒状本体２０が外嵌させてある。刻印部２１ａは、コード情報Ｊに対応するパターンである。例えば、刻印部２１ａは、クレジットカードのセキュリティコードを示す複数桁の数字を反転したものとなっている。接触部２１は、下部２１ｃよりも上部２１ｄの方が、水平方向断面積が小さく、下部２１ｃと上部２１ｄの境界部分が段差面２１ｅになっている。
【００２７】
接触部２１の材料には例えば、Ａｌ、Ｃｕなどの熱伝導性の高い金属部材を利用することができるが、カード表面との接触性の高さ、表面への傷のつけにくさ、軽さ、耐摩耗性等を考慮し、高熱伝導性樹脂（高熱伝導性ＰＡ、ＰＰＳ，ＰＣ等）を用いることが好ましい。接触部２１のコード情報Ｊに対応するパターンは、カード毎に異なるため、樹脂成型部材を切削加工したり、射出成形した記号部材を組み付けたり、マスキングして金属メッキや真空蒸着等により記号部の凸を形成することができる。またコード情報Ｊに対応するパターンを３Ｄプリンタで直接オンデマンド加工することもできる。
【００２８】
スライドカバー２２は筒状であり、上端に内向きのフランジ２２ａが設けられ、このフランジ２２ａが接触部２１の段差面２１ｅに係合している。スライドカバー２２は、接触部２１の下部２１ｃの外周面と、筒状本体２０の内周面との間を上下に摺動するように構成されている。通常時、スライドカバー２２の下端は、刻印部２１ａよりも下方へ突出している。
【００２９】
コイルスプリング２３は、筒状本体２０の突起２０ｂの下縁と、スライドカバー２２のフランジ２２ａとの間に設けられており、スライドカバー２２を下方へ付勢する。
【００３０】
接触部２１の上部にはヒータ２４が設けられている。回路基板２６は、ヒータ２４と電源２５との間に設けられ、ヒータ２４のオンオフを制御する。例えば、回路基板２６は、コイルスプリング２３が圧縮し、通常時には接触しない位置に設けられた接触子にコイルスプリング２３が接触すると、ヒータ２４をオンする。
【００３１】
使用者が筒状本体２０を把持し、スライドカバー２２の下端をカード１の面１ａに垂直に接触させ、筒状本体２０を下方へ押圧すると、図２（ｂ）に示すように、コイルスプリング２３が圧縮し、刻印部２１ａがカード１の面１ａに接触する。
【００３２】
回路基板２６がヒータ２４をオンにすると、ヒータ２４からの熱が接触部２１に伝わり、接触部２１が昇温する。
【００３３】
例えば、図３（ａ）のように、常温（室温）では、カード１の面１ａには情報が表示されていない。図３（ｂ）に示すように、面１ａに接触体２を押圧接触させると、カード１の面１ａのうち、刻印部２１ａが接触している部分が加熱される。
【００３４】
カード１の面１ａのうち、刻印部２１ａの接触部分が所定温度以上に加熱されると、示温インキが変色する。接触体２をカード１から離すと、図３（ｃ）に示すように、面１ａには、コード情報Ｊが発現する。時間が経過してカード１の温度が低下すると、変色した部分の色が元に戻り、図３（ａ）に示すようにコード情報Ｊは消失（非可視化）する。
【００３５】
接触体２を使用せずに、単にカード１を加熱した場合、示温インキを印刷した部分（例えばカード１の全面）が変色するだけで、コード情報は発現しない。そのため、接触体２を所有しない第三者によるコード情報の読み取りを防止できる。
【００３６】
接触体２をカード１に押圧接触させている間、ヒータ２４を常にオンにしてもよいし、所定時間経過後にヒータ２４を自動でオフにしてもよい。
【００３７】
図４（ａ）に示すように、カード１の基材１ｂの一面に凹凸加工を施し、凸部１ｃの先端部に示温インキ３をドット転写してもよい。カード１に接触体２を接触させた場合、図４（ｂ）に示すように、刻印部２１ａが接触する示温インキ３を変色させつつ、刻印部２１ａが接触しない周辺の示温インキ３が熱伝導により昇温して変色することを防止できる。そのため、カード１に発現するコード情報のにじみを抑制できる。
【００３８】
図５（ａ）に示すように、基材１ｂの一面に、基材１ｂよりも熱伝導率の低い低熱伝導層１ｄを設け、低熱伝導層１ｄ上に示温インキ３をドット状に印刷してもよい。低熱伝導層１ｄには例えば発泡ＰＰ層、多孔性を有するＰＰフィルム、ＳＵＳ板などを用いることができる。カード１に接触体２を接触させた場合、図５（ｂ）に示すように、刻印部２１ａが接触する示温インキ３を変色させつつ、刻印部２１ａが接触しない周辺の示温インキ３が熱伝導により昇温して変色することを防止できる。そのため、カード１に発現するコード情報のにじみを抑制できる。
【００３９】
熱伝導により刻印部２１ａが接触した部分の周辺の示温インキが変色することを考慮して、刻印部２１ａにパターンを刻設してもよい。この場合、刻印部２１ａのパターンは、図１（ｂ）に示すような反転した数字でなく、反転した数字の複数箇所が欠けたようなものとなる。そのため、接触体２の刻印部２１ａを第三者に見られても、コード情報が容易に知られないようにできる。
【００４０】
コード情報Ｊは数字に限定されず、アルファベット等の他の記号でもよいし、二次元コードやバーコードでもよい。
【００４１】
上記実施形態では、室温より高い所定温度以上で変色する示温インキを使用する例について説明したが、室温より低い所定温度以下で変色する示温インキを使用してもよい。この場合、接触体２は、カード１を冷却するものとなる。
【００４２】
図６（ａ）に示すように、カード１の一半側１Ｌに室温より高い第１所定温度以上で変色する示温インキを印刷し、他半側１Ｒに室温より低い第２所定温度以下で変色する示温インキを印刷してもよい。この場合、加熱機構と冷却機構とを有する接触体２を使用し、加熱機構側の刻印部を一半側１Ｌ、冷却機構側の刻印部を他半側１Ｒに接触させることで、図６（ｂ）に示すように、コード情報が発現する。
【００４３】
上記実施形態では、コード情報を示温インキで印刷したカードについて説明したが、カードに限定されず、示温インキを印刷できる様々な印画物に適用できる。
【００４４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４５】
１  カード
２  接触体
【図１】
2020044829.tif 000003
【図２】
2020044829.tif 000004
【図３】
2020044829.tif 000005
【図４】
2020044829.tif 000006
【図５】
2020044829.tif 000007
【図６】
2020044829.tif 000008